(57)【要約】【課題】管理者用の端末を有する保守員のみが保守を行うことができるようにする。【解決手段】本実施形態に係る認証システムは、入力された画像データのプリント注文を受け付けるプリント注文受付機と、前記プリント注文受付機と通信可能な管理者端末とを備える前記プリント注文受付機が、パスワードを生成し、前記パスワードを二次元コードに変換して表示部に表示する。前記管理者端末が、前記表示部に表示された前記二次元コードを読み取って前記パスワードを取得し、取得したパスワードを前記プリント注文受付機へ送信する。前記プリント注文受付機が、前記生成したパスワードと、前記管理者端末から受信したパスワードとを用いて、正当な保守員であるか否か判定する認証処理を行い、正当な保守員であると判定した場合に保守を行えるようにする。【選択図】図１
2020077247.tif 000002
【特許請求の範囲】
【請求項１】
入力された画像データのプリント注文を受け付けるプリント注文受付機であって、
パスワードを生成するパスワード生成部と、
前記パスワードを表示する表示部と、
管理者端末から無線通信によりパスワードを含むデータを受信すると共に、顧客端末から無線通信により前記画像データを受信可能な通信部と、
前記パスワード生成部が生成したパスワードと、前記管理者端末から受信したパスワードとを用いて、正当な保守員であるか否か判定する認証処理を行う認証部と、
前記認証部が正当な保守員であると判定した場合に保守を行えるようにする保守管理部と、
を備えるプリント注文受付機。
【請求項２】
前記認証部は、前記パスワード生成部が生成したパスワードに所定の共通キーを組み合わせたデータと、前記管理者端末から受信したデータとを比較することを特徴とする請求項１に記載のプリント注文受付機。
【請求項３】
前記表示部は、暗号化されたパスワードを表示することを特徴とする請求項１に記載のプリント注文受付機。
【請求項４】
前記表示部は、前記パスワードを示す二次元コードを表示することを特徴とする請求項１乃至３のいずれか１項に記載のプリント注文受付機。
【請求項５】
プリント注文された画像データを用紙にプリントして出力するプリンタをさらに備えることを特徴とする請求項１乃至４のいずれか１項に記載のプリント注文受付機。
【請求項６】
入力された画像データのプリント注文を受け付けるプリント注文受付機と、前記プリント注文受付機と通信可能な管理者端末とを備える認証システムであって、
前記プリント注文受付機が、パスワードを生成し、前記パスワードを二次元コードに変換して表示部に表示し、
前記管理者端末が、前記表示部に表示された前記二次元コードを読み取って前記パスワードを取得し、取得したパスワードを前記プリント注文受付機へ送信し、
前記プリント注文受付機が、前記生成したパスワードと、前記管理者端末から受信したパスワードとを用いて、正当な保守員であるか否か判定する認証処理を行い、正当な保守員であると判定した場合に保守を行えるようにすることを特徴とする認証システム。
【請求項７】
前記プリント注文受付機と前記管理者端末には共通キーが設定されており、
前記管理者端末は、取得したパスワードに前記共通キーを組み合わせたデータを前記プリント注文受付機へ送信し、
前記プリント注文受付機は、前記生成したパスワードに前記共通キーを組み合わせたデータと、前記管理者端末から受信したデータとを用いて認証処理を行うことを特徴とする請求項６に記載の認証システム。
【請求項８】
前記プリント注文受付機には暗号化キーが設定され、前記管理者端末には前記暗号化キーに対応する復号化キーが設定されており、
前記プリント注文受付機は、生成したパスワードを前記暗号化キーを用いて暗号化し、暗号化したパスワードを二次元コードに変換して前記表示部に表示し、
前記管理者端末は、前記復号化キーを用いて、前記二次元コードを読み取って取得したデータを復号化し、復号したパスワードを前記プリント注文受付機へ送信することを特徴とする請求項６に記載の認証システム。
【発明の詳細な説明】
【技術分野】
【０００１】
本発明は、プリント注文受付機及び認証システムに関する。
【背景技術】
【０００２】
デジタルカメラやスマートフォン等で撮影した画像のデジタルデータを読み込んでプリント出力する画像プリント装置が知られている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データをプリントしたり、タッチパネルで画像の編集を行った上でプリントしたりする。
【０００３】
画像プリント装置は、家電量販店等の店舗内や駅構内など、様々な場所に設置されている。従来、店舗従業員や保守員が、画像プリント装置のプリント価格の設定や、サービス内容の設定、ログデータの参照などの保守を行う場合、タッチパネルを操作して所定のパスワードを入力し、管理画面を立ち上げていた。
【０００４】
従来の画像プリント装置は、パスワードを知っている者であれば誰でも管理画面を立ち上げることができた。例えば、保守員が操作した後のタッチパネルに残った指紋からパスワードが推測され、第三者が管理画面を立ち上げて設定を変更するおそれがあった。また、第三者がパスワードの入力を繰り返し行い、管理画面が立ち上がってしまうおそれがあった。
【先行技術文献】
【特許文献】
【０００５】
【特許文献１】特開２００８−２８４８０４号公報
【発明の概要】
【発明が解決しようとする課題】
【０００６】
本発明は、管理者用の端末を有する保守員のみが保守を行うことができるプリント注文受付機及び認証システムを提供することを課題とする。
【課題を解決するための手段】
【０００７】
本発明によるプリント注文受付機は、入力された画像データのプリント注文を受け付けるプリント注文受付機であって、パスワードを生成するパスワード生成部と、前記パスワードを表示する表示部と、管理者端末から無線通信によりパスワードを含むデータを受信すると共に、顧客端末から無線通信により前記画像データを受信可能な通信部と、前記パスワード生成部が生成したパスワードと、前記管理者端末から受信したパスワードとを用いて、正当な保守員であるか否か判定する認証処理を行う認証部と、前記認証部が正当な保守員であると判定した場合に保守を行えるようにする保守管理部と、を備えるものである。
【０００８】
本発明の一態様では、前記認証部は、前記パスワード生成部が生成したパスワードに所定の共通キーを組み合わせたデータと、前記管理者端末から受信したデータとを比較する。
【０００９】
本発明の一態様では、前記表示部は、暗号化されたパスワードを表示する。
【００１０】
本発明の一態様では、前記表示部は、前記パスワードを示す二次元コードを表示する。
【００１１】
本発明の一態様では、プリント注文された画像データを用紙にプリントして出力するプリンタをさらに備える。
【００１２】
本発明による認証システムは、入力された画像データのプリント注文を受け付けるプリント注文受付機と、前記プリント注文受付機と通信可能な管理者端末とを備える認証システムであって、前記プリント注文受付機が、パスワードを生成し、前記パスワードを二次元コードに変換して表示部に表示し、前記管理者端末が、前記表示部に表示された前記二次元コードを読み取って前記パスワードを取得し、取得したパスワードを前記プリント注文受付機へ送信し、前記プリント注文受付機が、前記生成したパスワードと、前記管理者端末から受信したパスワードとを用いて、正当な保守員であるか否か判定する認証処理を行い、正当な保守員であると判定した場合に保守を行えるようにするものである。
【００１３】
本発明の一態様では、前記プリント注文受付機と前記管理者端末には共通キーが設定されており、前記管理者端末は、取得したパスワードに前記共通キーを組み合わせたデータを前記プリント注文受付機へ送信し、前記プリント注文受付機は、前記生成したパスワードに前記共通キーを組み合わせたデータと、前記管理者端末から受信したデータとを用いて認証処理を行う。
【００１４】
本発明の一態様では、前記プリント注文受付機には暗号化キーが設定され、前記管理者端末には前記暗号化キーに対応する復号化キーが設定されており、前記プリント注文受付機は、生成したパスワードを前記暗号化キーを用いて暗号化し、暗号化したパスワードを二次元コードに変換して前記表示部に表示し、前記管理者端末は、前記復号化キーを用いて、前記二次元コードを読み取って取得したデータを復号化し、復号したパスワードを前記プリント注文受付機へ送信する。
【発明の効果】
【００１５】
本発明によれば、管理者用の端末を有する保守員のみが保守を行うことができるようにし、第三者による設定変更を防止し、セキュリティを向上させることができる
【図面の簡単な説明】
【００１６】
【図１】本発明の実施形態に係る認証システムの概略図である。
【図２】（ａ）〜（ｃ）は画像プリント装置の表示画面の遷移例を示す図である。
【図３】同実施形態に係る画像プリント装置のブロック構成図である。
【図４】画像プリント装置の斜視図である。
【図５】管理プログラムを実行することで実現される機能ブロック図である。
【図６】携帯端末の構成及び機能ブロックを示す図である。
【図７】同実施形態に係る認証方法を説明するフローである。
【発明を実施するための形態】
【００１７】
以下、本発明の実施の形態を図面に基づいて説明する。
【００１８】
図１に示すように、本発明の実施形態に係る認証システムは、画像プリント装置１と携帯端末２とを備え、画像プリント装置１が携帯端末（管理者端末）２を所持する保守員Ｐの認証を行い、画像プリント装置１の保守を行えるようにするものである。携帯端末２はスマートフォンやタブレット端末等である。
【００１９】
画像プリント装置１は、顧客から入力された画像データを指定されたサイズの用紙にプリントして出力するものである。画像データは、例えば、メモリカードを画像プリント装置１に差し込んだり、スマートフォン等の顧客端末から無線通信によって転送したりすることで、画像プリント装置１に入力できる。
【００２０】
画像プリント装置１の保守は、プリント物の種別による価格の設定や、サービス内容の設定、ハードウエアの保守、様々なログデータの参照等の重要な作業であり、権限の無い第三者には行えないようにする必要がある。
【００２１】
保守員Ｐは保守を行うにあたり、まず、画像プリント装置１において管理者モードを起動させる。例えば、タッチパネル１０Ａの右上隅等の所定箇所を一定時間長押しして管理者モードを起動する。管理者モードが起動すると、画像プリント装置１は、パスワード（ワンタイムパスワード）を生成し、生成したパスワードを二次元コードに変換してタッチパネル１０Ａに表示する。
【００２２】
図２（ａ）に示すようにパスワードを表す二次元コードＣがタッチパネル１０Ａに表示されると、保守員Ｐは携帯端末２にインストールされている専用アプリ（アプリケーションプログラム）を立ち上げ、携帯端末２の内蔵カメラを用いて二次元コードＣを撮影してパスワードを読み取る。
【００２３】
パスワード読み取り後、タッチパネル１０Ａの接続開始ボタンＢ１を押して、画像プリント装置１と携帯端末２との無線通信（例えばＷｉ−Ｆｉ（登録商標））の接続を行う。接続開始ボタンＢ１が押されると、図２（ｂ）に示すように、画像プリント装置１は、無線ネットワーク上の自装置の識別情報（ＳＳＩＤ：Service  Set  Identifier）と、無線接続用のパスキーをタッチパネル１０Ａに表示する。また、画像プリント装置１は、ＳＳＩＤを含むビーコン信号の送信を開始する。
【００２４】
保守員Ｐは、携帯端末２を操作し、接続可能なネットワーク一覧から、画像プリント装置１のタッチパネル１０Ａに表示されているＳＳＩＤを選択し、タッチパネル１０Ａに表示されているパスキーを入力する。これにより、画像プリント装置１と携帯端末２との無線通信の接続が確立する。
【００２５】
無線通信の接続が確立すると、携帯端末２は、二次元コードＣを読み取って取得していたパスワードを画像プリント装置１へ送信する。画像プリント装置１は、携帯端末２から受信したパスワードと、自装置が生成してタッチパネル１０Ａに表示したパスワードとを比較し、正当な保守員Ｐであるか否かを判定する認証処理を行う。画像プリント装置１は、パスワードが一致し、正当な保守員Ｐであると判定すると、図２（ｃ）に示すような認証完了画面をタッチパネル１０Ａに表示する。保守員ＰがボタンＢ２を押すと、タッチパネル１０Ａに管理画面が表示され、各種設定の変更等の保守が行えるようになる。
【００２６】
このように、本実施形態によれば専用アプリがインストールされている携帯端末２を有する保守員Ｐのみが画像プリント装置１の保守を行うことができる。例えば、第三者がタッチパネル１０Ａを操作して偶然に管理者モードが起動し、タッチパネル１０Ａに表示された二次元コードＣを第三者のスマートフォン等で読み取っても、ランダムな英数字等がスマートフォンに表示されるだけであり、画像プリント装置１の管理画面を立ち上げることはできない。
【００２７】
図３は画像プリント装置１のブロック構成図であり、図４は画像プリント装置１の斜視図である。図３に示すように、画像プリント装置は、第１タッチパネル１０Ａ、第２タッチパネル１０Ｂ、データ入力部１１、課金部１２、プリンタ１３、ＣＰＵ（中央処理部）１４、記憶部１５及び通信部１６を有する。
【００２８】
図４に示すように、第１タッチパネル１０Ａは筐体の手前側の天板１Ａ部分に設けられ、第２タッチパネル１０Ｂは筐体の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。
【００２９】
第１タッチパネル１０Ａ及び第２タッチパネル１０Ｂは、画像を含む情報を表示したり、各種指示の入力を受け付けたりする。第１タッチパネル１０Ａは、画像プリントモードでは、画像プリント装置への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面、注文内容や請求金額の確認画面等の基本操作画面を表示する。第２タッチパネル１０Ｂは、画像データに対する編集を指示するための編集アイテムを表示することができる。
【００３０】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図４に示すように、データ入力部１１は筐体の上部、具体的には筐体の天板１Ａと第２タッチパネル１０Ｂとの間に設けられている。
【００３１】
データ入力方法が無線通信によるものである場合は、通信部１６が顧客端末と通信を行い、画像データを受信する。
【００３２】
図４に示すように、課金部１２は、筐体の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００３３】
プリンタ１３は、昇華型又はインクジェット型などの高解像度カラープリンタであり、注文内容に基づいて、画像データをプリントして出力する。プリンタ１３は筐体内に収容されている。プリンタ１３は複数台設置されていてもよい。図４に示すように、筐体の前面側には、透明な開閉扉Ｄが開閉自在に設けられている。開閉扉Ｄの裏面側には、プリンタ１３がプリント出力したプリント物が集積される集積部（図示せず）が設けられており、開閉扉Ｄを開けると集積部に集積されたプリント物を取り出せるようになっている。
【００３４】
記憶部１５は、ＣＰＵ１４が各種の処理を実行するために必要なプログラムや、プリント物の価格設定情報、サービス内容の設定情報、ログデータ等が記憶されており、ハードディスクや半導体メモリ等が用いられる。ＣＰＵ１４が、記憶部１５に格納されている制御プログラムを実行することで、第１タッチパネル１０Ａ、第２タッチパネル１０Ｂ、課金部１２、プリンタ１３、通信部１６等を制御する制御部１４０として機能する。
【００３５】
ＣＰＵ１４が記憶部１５に格納されている管理プログラムを実行することで、図５に示すように、管理者モード起動部１０１、パスワード生成部１０２、パスワード表示処理部１０３、接続処理部１０４、パスワード受信部１０５、認証部１０６及び保守管理部１０７の機能が実現される。
【００３６】
管理者モード起動部１０１は、タッチパネル１０Ａを介して所定の操作を受け付けると、管理者モードを起動する。例えば、タッチパネル１０Ａの右上隅等の所定箇所が一定時間長押しされると、管理者モード起動部１０１は、管理者モードを起動する。
【００３７】
パスワード生成部１０２は、管理者モードの起動に伴いパスワードを生成する。パスワード生成部１０２は、ハッシュ関数等を用いてワンタイムパスワードを生成する。
【００３８】
パスワード表示処理部１０３は、パスワード生成部１０２が生成したパスワードを二次元コードに変換し、二次元コードをタッチパネル１０Ａに表示する。
【００３９】
接続処理部１０４は、接続開始ボタンＢ１（図２（ａ）参照）が押されると、接続確立処理を開始し、通信部１６を用いてＳＳＩＤを含むビーコン信号の送信を開始する。また、接続処理部１０４は、ＳＳＩＤ、及び通信用パスキーをタッチパネル１０Ａに表示する。接続処理部１０４は、自装置のＳＳＩＤを含む信号を送信してきた携帯端末２から通信用パスキーと共に接続要求を受け付けると、携帯端末２へ接続許可応答を送信する。これにより、画像プリント装置１と携帯端末２との無線通信の接続が確立する。
【００４０】
パスワード受信部１０５は、画像プリント装置１との携帯端末２との接続確立後、通信部１６を介して、携帯端末２からパスワードを受信する。
【００４１】
認証部１０６は、パスワード生成部１０２が生成したパスワードと、パスワード受信部１０５が携帯端末２から受信したパスワードとを比較し、画像プリント装置１を操作している者が正当な保守員であるか否か判定する認証処理を行う。認証部１０６は、パスワードが一致した場合、正当な保守員であると判定する。
【００４２】
正当な保守員であると判定されると、保守管理部１０７は、タッチパネル１０Ａに管理画面を表示する。保守員Ｐは、管理画面を操作し、保守を行うことができる。
【００４３】
次に、携帯端末２の構成について説明する。図６に示すように、携帯端末２は、演算制御部２０、タッチパネル２２、通信部２３、及び撮影部２４を備えたスマートフォンやタブレット端末等である。演算制御部２０は、専用アプリである保守管理プログラムを格納する記憶部２１を有する。記憶部２１には、演算制御部２０のＣＰＵが各種の処理を実行するために必要なプログラムやデータ等が記憶されており、半導体メモリ等が用いられる。
【００４４】
演算制御部２０のＣＰＵが記憶部２１に格納されている保守管理プログラムを実行することで、パスワード読取部２０１、接続処理部２０２及びパスワード送信部２０３の機能が実現される。
【００４５】
パスワード読取部２０１は、撮影部２４を起動し、タッチパネル１０Ａに表示された二次元コードＣからパスワードを読み取る。撮影部２４は例えばデジタルカメラである。
【００４６】
接続処理部２０２は、画像プリント装置１に対し、保守員から入力された通信用パスキーと共に接続要求を送信する。接続処理部２０２が画像プリント装置１から接続許可応答を受信すると、画像プリント装置１と携帯端末２との無線通信の接続が確立する。
【００４７】
パスワード送信部２０３は、通信部２３を介して、パスワード読取部２０１が読み取ったパスワードを画像プリント装置１へ送信する。
【００４８】
次に、本実施形態に係る認証方法を図７に示すフローに沿って説明する。
【００４９】
保守員Ｐが画像プリント装置１のタッチパネル１０Ａを操作し、管理者モードを起動する（ステップＳ１）。管理者モードが起動すると、画像プリント装置１のパスワード生成部１０２がパスワードを生成する（ステップＳ２）。パスワード表示処理部１０３が、ステップＳ２で生成されたパスコードを二次元コードに変換してタッチパネル１０Ａに表示する（ステップＳ３）。
【００５０】
保守員Ｐは、携帯端末２の専用アプリを立ち上げ、パスワードの読み取りを指示する。パスワード読取部２０１が携帯端末２の撮影部２４を起動する。保守員Ｐは、撮影部２４でタッチパネル１０Ａに表示されている二次元コードを撮影する。パスワード読取部２０１は、二次元コードからパスワードを読み取る（ステップＳ４）。
【００５１】
保守員Ｐがタッチパネル１０Ａの接続開始ボタンＢ１を押すと、画像プリント装置１の接続処理部１０４が、ＳＳＩＤ及び通信用パスキーをタッチパネル１０Ａに表示すると共にＳＳＩＤを含むビーコン信号を送信する。ビーコン信号を受信した携帯端末２では、接続可能なネットワーク一覧に、ビーコン信号に含まれるＳＳＩＤが表示される。保守員Ｐは、ネットワーク一覧から、タッチパネル１０Ａに表示されているＳＳＩＤと同じものを選択し、通信用パスキーを入力する。
【００５２】
携帯端末２は、通信用パスキーを含む接続要求を送信する（ステップＳ５）。画像プリント装置１は、携帯端末２から接続要求を受信し、通信用パスキーが一致すると、携帯端末２へ接続許可応答を送信する（ステップＳ６）。
【００５３】
携帯端末２は、ステップＳ４で読み取ったパスワードを画像プリント装置１へ送信する（ステップＳ７）。
【００５４】
携帯端末２の認証部１０６は、ステップＳ２で生成したパスワードと、ステップＳ７で受信したパスワードとを比較し、認証処理を行う（ステップＳ８）。パスワードが一致すると、画像プリント装置１はタッチパネル１０Ａに管理画面を表示し、保守員Ｐが保守作業を行えるようにする（ステップＳ９）。
【００５５】
このように、本実施形態によれば、第三者による管理画面の立ち上げを防止し、専用アプリがインストールされている携帯端末２を有する保守員Ｐのみが画像プリント装置１の保守を行えるようになる。
【００５６】
上記実施形態において、画像プリント装置１と携帯端末２の専用アプリとに、共通キーを予め設定しておいてもよい。携帯端末２は、タッチパネル１０Ａに表示された二次元コードを読み取り、パスワードを取得すると、取得したパスワードに共通キーを組み合わせる。そして、携帯端末２は、パスワードと共通キーとを組み合わせた組み合わせデータ（パスワード関連情報）を画像プリント装置１へ送信する。
【００５７】
画像プリント装置１は、生成したパスワードと共通キーとを組み合わせた組み合わせデータと、携帯端末２から受信した組み合わせデータとを比較し、認証処理を行う。事前設定された共通キーを用いることで、認証精度を向上できる。
【００５８】
画像プリント装置１に暗号化キーを予め設定し、携帯端末２の専用アプリに復号化キーを予め設定しておいてもよい。画像プリント装置１は、パスワードを生成すると、生成したパスワードを、暗号化キーを用いて暗号化する。タッチパネル１０Ａには、暗号化されたパスワードを二次元コードに変換したものが表示される。
【００５９】
携帯端末２は、二次元コードから暗号化されたパスワードを取得する。携帯端末２は、復号化キーを用いてパスワードを復号し、画像プリント装置１へ送信する。画像プリント装置１は、生成した（暗号化前の）パスワードと、携帯端末２から受信したパスワードとを比較し、認証処理を行う。事前設定された暗号化キー、復号化キーを用いることで、認証精度をさらに向上できる。
【００６０】
第三者がタッチパネル１０Ａを操作して偶然に管理者モードが起動し、タッチパネル１０Ａに表示された二次元コードを第三者のスマートフォン等で読み取っても、暗号化された情報がスマートフォンに表示されるだけであり、画像プリント装置１の管理画面を立ち上げることはできない。
【００６１】
上記実施形態では、画像プリント装置１で管理者モードを起動させる方法の例として、タッチパネル１０Ａの所定箇所を一定時間長押しすることを挙げていたが、管理者モードの起動条件に、事前に決められたパスワードの入力を含め、セキュリティを強化してもよい。例えば、保守員Ｐが紛失した携帯端末２を第三者が入手した場合、この第三者が管理者モードを起動することを防止できる。
【００６２】
上記実施形態ではパスワードを二次元コードに変換してタッチパネル１０Ａに表示する例について説明したが、パスワードそのものをタッチパネル１０Ａに表示してもよい。この場合、保守員は、タッチパネル１０Ａに表示されたパスワードを携帯端末２に手入力する。
【００６３】
上記実施形態では、筐体内にプリンタ１３を備え、その場でプリント物を出力する画像プリント装置１について説明したが、プリンタ１３を省略し、画像のプリント注文の受け付けを行う注文受付端末としてもよい。この場合、注文受付端末は、通信部１６を使用し、プリント注文された画像データを、有線又は無線ネットワークを介してプリンタサーバへ送信する。プリンタサーバは、画像データをプリンタへ転送し、プリント出力される。プリント物は、店舗レジなどで利用者に渡してもよいし、利用者の自宅へ配送してもよい。
【００６４】
上記実施形態において、画像プリント装置は、画面を表示すると共に顧客や保守員からの操作を受け付けるタッチパネルを有する構成について説明したが、タッチパネルの代わりにディスプレイ（表示部）と、ボタン、マウス、キーボード等の操作部とを設けた構成としてもよい。
【００６５】
この認証システムは、画像プリント装置や注文受付端末のようなプリント注文受付機だけでなく、保守員が有する携帯端末との通信機能を有し、保守員による定期的な保守が必要となる様々な機器に適用できる。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６７】
１  画像プリント装置
２  携帯端末（管理者端末）
１０Ａ  第１タッチパネル（表示部）
１０Ｂ  第２タッチパネル
１２  課金部
１３  プリンタ
１４  ＣＰＵ
１５  記憶部
１６  通信部
１０１  管理者モード起動部
１０２  パスワード生成部
１０３  パスワード表示処理部
１０４  接続処理部
１０５  パスワード受信部
１０６  認証部
１０７  保守管理部
Ｃ  二次元コード
【図１】
2020077247.tif 000003
【図２】
2020077247.tif 000004
【図３】
2020077247.tif 000005
【図４】
2020077247.tif 000006
【図５】
2020077247.tif 000007
【図６】
2020077247.tif 000008
【図７】
2020077247.tif 000009